(57)【要約】【課題】本発明は、有線および無線のＵＷＢアプリケーションを結合させる新たな装置および方法を提供する。【解決手段】本発明の方法およびシステムは、単一のスーパーフレームに沿って、単一のタイム周波数コードと共に、有線ＵＷＢノードおよび無線ＵＷＢノードの両方のための１つのビーコングループを構成し、スーパーフレームおよびタイム周波数コードごとに有線ノードおよび無線ノード間でデータを送る。【選択図】図２
2008228293.tif 000002
【特許請求の範囲】
【請求項１】
単一のスーパーフレームに沿って、有線ＵＷＢノードおよび無線ＵＷＢノードの両方のための１つのビーコングループを構成し、
前記単一のスーパーフレームごとに前記有線および無線ノード間でデータを送ることを特徴とする方法。
【請求項２】
前記有線ノードはゲートウェイを含み、該ゲートウェイから前記有線および無線ノードにデータを送ることを特徴とする請求項１に記載の方法。
【請求項３】
各媒体用の異なるタイム周波数コードおよびビーコングループを用いて前記１つのビーコングループを構成することを特徴とする請求項１に記載の方法。
【請求項４】
前記１つのビーコングループを構成することは、チャンネルスキャンを含むことを特徴とする請求項１に記載の方法。
【請求項５】
前記１つのビーコングループは、無線ノードビーコングループおよび有線ノードビーコングループ用の仮想的なビーコングループを含むことを特徴とする請求項１に記載の方法。
【請求項６】
前記無線または有線ノードのいずれか一方は、イーサネット（登録商標）・ブリッジを含むことを特徴とする請求項１に記載の方法。
【請求項７】
前記有線ノードは、Ｃａｔ５、電話回線、または電力ラインで分配されていることを特徴とする請求項１に記載の方法。
【請求項８】
請求項１に記載の方法を実行するための単一のチップ。
【請求項９】
単一のスーパーフレームに沿って、有線ＵＷＢノードおよび無線ＵＷＢノードの両方のための１つのビーコングループを構成する手段と、
前記単一のスーパーフレームごとに前記有線および無線ノード間でデータを送る手段とを備えることを特徴とするシステム。
【請求項１０】
単一のスーパーフレームに沿って、有線ＵＷＢノードおよび無線ＵＷＢノードの両方のための１つのビーコングループを構成するプロセッサと、
前記単一のスーパーフレームごとの前記有線および無線ノード間でのデータ送信を制御するスイッチコントローラとを備えることを特徴とするシステム。
【請求項１１】
前記有線ノードはゲートウェイを含み、前記スイッチコントローラは、前記ゲートウェイから前記有線および無線ノードへのデータ送信を制御することを特徴とする請求項１０に記載のシステム。
【請求項１２】
前記プロセッサは、各媒体用の異なるタイム周波数コードおよびビーコングループを用いることを特徴とする請求項１０に記載のシステム。
【請求項１３】
前記プロセッサは、チャンネルスキャンを介してビーコングループを構成することを特徴とする請求項１０に記載のシステム。
【請求項１４】
前記１つのビーコングループは、無線ノードビーコングループおよび有線ノードビーコングループ用の仮想的なビーコングループを含むことを特徴とする請求項１０に記載のシステム。
【請求項１５】
前記無線または有線ノードのいずれか一方は、イーサネット（登録商標）・ブリッジを含むことを特徴とする請求項１０に記載のシステム。
【請求項１６】
前記有線ノードは、Ｃａｔ５、電話回線、または電力ラインで分配されていることを特徴とする請求項１０に記載のシステム。
【請求項１７】
異なる媒体間での切り替え機能およびリピート機能のための転送ルックアップテーブルをさらに備えたことを特徴とする請求項１０に記載のシステム。
【請求項１８】
請求項１０に記載のシステムを組み込んだ単一のチップ。
【発明の詳細な説明】
【優先権主張の基礎となる出願】
【０００１】
この出願は、発明者Li-Jau  YangおよびHung  Nguyenによって２００７年３月２日にされた米国特許出願第６０／８９２，７８３号「有線と無線のＵＷＢアプリケーションを組み合わせる装置及び方法」に基づく優先権を主張するものであり、この米国特許出願の内容を参照により組み入れるものである。
【技術分野】
【０００２】
本発明は、一般に、超広帯域通信（ＵＷＢ）に関するものであり、特に、ただし限定されないが、有線と無線のＵＷＢアプリケーションを組み合わせる装置及び方法を提供するものである。
【背景技術】
【０００３】
ＵＷＢの技術は、機器および／またはアプリケーション間の通信の異なる技術に用いられる異なる媒体に適用される。特に、同軸ケーブルによるＵＷＢ（UWB-over-Coax）や無線によるＵＷＢ（ワイヤレス）アプリケーション間の通信技術に適用可能である。これらの機器を互いに同期させ、通信させるために、これらの機器は、ＰＨＹおよびＭＡＣレイヤーの標準規定のプロトコルに従う。以下に説明される本発明の実施形態は、同軸ケーブルまたは無線による通信のためのプロトコルとして、ＰＨＹおよびＭＡＣレイヤー仕様のWiMedia  Allianceを使用する。
【０００４】
WiMedia  AllianceのＭＡＣおよびＰＨＹ仕様に適合する機器は、作動中の他のWiMedia無線機器（「無線機器」）を「見る」または「感じる」ことができる。そのプロトコルに従うことによって、機器は他の機器との間でデータを送受信することができる。これは、同軸ケーブル上のＵＷＢ機器（「同軸ケーブル機器））間の通信においても同様である。これらの無線機器および同軸ケーブル機器は、異なるビーコングループ、すなわち「無線グループ」と「同軸ケーブルグループ」を構成していることがある。同一グループ内の機器は、ＵＷＢ技術によって到達可能な距離以内では、同じ種類の媒体を介して互いに通信する。無線グループの機器が同軸ケーブルグループの他の機器とデータの送受信を行うためには、データリンク層のロジック・リンク・コントロール（ＬＬＣ）および／または上位層を介して互いに通信を行わなければならない。さらに、グループから他のグループへフレームを転送するためにアクセスポイントのような他の機器が要求される場合がある。
【０００５】
図１は、無線および同軸ケーブル機器ネットワークを示す図である。このネットワークは、ノード１およびノード２に同軸ケーブルを介して連結されたＵＷＢゲートウェイＡを備えている。さらに、このネットワークは、同軸ケーブルに連結されたＵＷＢセットトップボックス（ＳＴＢ）またはＵＷＢブリッジを備えている。ネットワークは、さらに、ＵＷＢ  ＳＴＢと無線で通信するＴＶおよびＰＣを備えている。この構成では、ＵＷＢゲートウェイは、一対のバンド・グループ／タイム周波数コード（ＢＧ／ＴＦＣ）Ａを用いて、ＵＷＢ  ＳＴＢ、ノード１、およびノード２を含む近隣の機器とフレームの交換を同軸ケーブルを介して行う。図１に示すように、ＴＶやＰＣなどの機器は、ＵＷＢゲートウェイのレンジ内には入っていない。しかしながら、これらの２つの機器は、ＵＷＢ  ＳＴＢを介してＢＧ／ＴＦＣ  Ａに連結することを選択することがある。このような場合には、ＵＷＢ  ＳＴＢはリピーターとして機能する。
【発明の開示】
【発明が解決しようとする課題】
【０００６】
WiMedia規格の周波数スペクトルは、等間隔に離れた多数の「バンド」に分割される。連続する３つのバンドごとに「バンドグループ」が構成される。例えば、バンド１、バンド２、バンド３はバンドグループ１（ＢＧ１）にグループ化され、バンド４、バンド５、バンド６はバンドグループ２（ＢＧ２）にグループ化される。タイム周波数コード（ＴＦＣ）は、バンドグループ内のバンドのパターンや順序を指定し、これらはホップして周波数変化をもたらす。例えば、通信システムは、Ｂ１，Ｂ２，Ｂ３，Ｂ１，Ｂ２…（ＴＦＣ１）やＢ１，Ｂ３，Ｂ２，Ｂ１，Ｂ３…（ＴＦＣ２）などの周波数ホップを行うことができる。
【０００７】
さらに、ＴＶやＰＣ機器は、異なる１対のＢＧ／ＴＦＣ  Ｂを用いてビーコングループを既に形成してフレーム交換を行っている場合がある。このような特別な形態に存在する問題は、ＵＷＢゲートウェイを介したＳＰ（サービスプロバイダー）からのＡ／Ｖストリーミングまたはデータの通行が、ＢＧ／ＴＦＣ値の異なる設定のために、ＴＶ（Ｂ）またはＰＣ（Ｂ）に決して到達し得ないことである。このような問題は、逆方向のデータ通行でも起こりうる。異なるこれら２つのネットワークセグメント間でのデータの通行を橋渡し（ブリッジ）とする１つの代案は、ＵＷＢ  ＳＴＢ内に２セットのＵＷＢプラットフォームを用いることである。つまり、１つがＵＷＢゲートウェイＡと情報のやり取りを行い、もう１つがＴＶ（Ｂ）およびＰＣ（Ｂ）と情報のやり取りを行う。この場合、ＵＷＢ  ＳＴＢシステムはデータをバッファし、どちらの方向のデータの通行も中継する。このやり方の欠点は、システムコストが上昇することと、システムに関連するさらなる連携が必要となることにある。
したがって、有線および無線のＵＷＢ機器を結合させる新たな装置および方法が必要とされている。
【課題を解決するための手段】
【０００８】
本発明の実施形態は、無線機器と同軸ケーブル機器とを、仮想のグループ（「無線―同軸ケーブルグループ」）内で互いに通信可能とする。本発明の実施形態は、単一のスーパーフレームに沿って、潜在的に２つの異なるＢＧ／ＴＦＣセットの値で、有線および無線のＵＷＢノードのための１つのビーコングループを構成するシステムおよび方法を提供する。この２つのＢＧ／ＴＦＣセットの値は各グループのためのものであり、単一のスーパーフレームごとに有線と無線ノードの間でデータを交換する。
【０００９】
本発明の実施形態は、WiMedia  Allianceプロトコルの規定に従う。以下に説明する実施形態の利点は次の通りである。
これらの実施形態は、無線グループおよび同軸ケーブルグループのいずれの機器とも同時に情報を交換し合うことができる。さらに、基礎をなす機構は、フレームの転送を目的としたＬＬＣまたは上位層を必要としない。したがって、本発明の実施形態は、単一のチップ（集積回路）で済み、システムコストを下げることができる。すなわち、このシステムのために２つのチップを用いることが不要となり、フレームの転送を目的としたアクセスポイントなどの機器を持つことを不要とすることができる。
【００１０】
典型的なＵＷＢプラットフォームをベースとしたアプリケーションでは、ビーコングループが機器の間で形成されていて、フレームの交換により互いに通信する。しかしながら、この通信は、同じペアのＢＧおよびＴＦＣに束縛される。つまり、このビーコングループ内の各機器は、同じペアのＢＧおよびＴＦＣを用いて、ビーコンフレームを含むフレームを送受信しなければならない。このルールを破るとフレームエラーが起こり、その結果システムパフォーマンスが低下してしまう。
【００１１】
本発明の実施形態は、異なる媒体のための独立したビーコンおよびスーパーフレームを持つことによる複雑さを解消する。したがって、実施形態は、このやり方を実行するための「１つのチップ」または「１つのマイクロプロセッサ」を含む。
しかしながら、無線および同軸ケーブルの複合アプリケーションでは、同軸ケーブルの両端上の機器またはノードは、異なるペアのＢＧおよびＴＦＣを用いることができる。この場合、これらの離間した２つの「ネットワークセグメント」間で簡素化したやり方でデータの通行を中継する際に問題が生じることがある。以下に記載する実施形態は、この問題を解決するものである。この方式を採用する全ての無線機器および同軸ケーブル機器は、１つのグループに「仮想的に」限定され、異なるＢＧ／ＴＦＣ環境下のデバイス間のフレームのやり取りは、妨害されることなく簡素化したやり方で行われる。
さらに、これら２つのセグメントが同じペアのＢＧ／ＴＦＣを用いる場合、本発明の実施形態はレンジを広げるリピーターとして機能する。
【００１２】
サービス品質（ＱｏＳ）は、異なる種類の媒体に亘って維持される。このことは、サービス品質が損なわれることなく、同軸ケーブル機器が無線機器とデータの送受信を行うことができることを意味する。
本発明の実施形態は、１つのＵＷＢプラットフォームのみを用いる。このプラットフォームは、ベースバンドと、ＵＷＢ  ＳＴＢの無線周波数チップセットを備える。ＵＷＢゲートウェイＡからのデータ通行は、ＵＷＢ  ＳＴＢを介してＴＶ（Ｂ）またはＰＣ（Ｂ）に問題なく到達する。逆も同様である。Ｔ／Ｒスイッチリレーは、データの通行を同軸ケーブルまたはアンテナに向かわせるために使用される。ベースバンドＡＳＩＣは、そのようなコントロール信号を提供する。４つのコントロール信号、すなわち同軸ケーブルグループＴｘ、同軸ケーブルグループＲｘ、無線グループＴｘ、および無線グループＲｘは、新たに生成され、ベースバンドＡＳＩＣから出力され、外部Ｔ／Ｒスイッチに、ＲＦチップと、アンテナと、同軸ケーブルのインターフェースの間でスーパーフレームタイミングを横切って行われるデータ通行の管理と仲裁を指示する。次のセクションでは、ＭＡＣ  Ｈ／Ｗがどのようにしてスキャン状態にあるそれら４つのコントロール信号をそれぞれ主張するかについて、およびビーコン周期、データ交換周期について説明する。
【発明の効果】
【００１３】
本発明の実施形態を展開することにより、ＳＴＢは次のような利益を享受することができる。すなわち、異なるＢＧ／ＴＦＣ環境に位置する機器間のフレームのやり取りは、滞りなく簡潔に行われ、サービス品質の要求が満たされ、そして、レンジの拡大が実現される。
【発明を実施するための最良の形態】
【００１４】
以下に記載する説明は、この技術分野に属する通常の知識を有する者が本発明を実施することができることを目的としており、ある特定のアプリケーションおよびその要求の内容として記載される。実施形態の種々の変形は、当業者にとって当然になしうることであり、ここに定義される技術思想は、本発明の意義および範囲を逸脱することなく、他の実施形態および応用例にも適用されうる。したがって、本発明は、記載された実施形態に限定されることはなく、ここに開示される技術思想、要旨、教示に従った最も広い範囲とすべきである。
【００１５】
ＵＷＢプラットフォームでは、あるビーコングループの機器はその管理制御情報をビーコンフレームを介して伝達する。機器はそのビーコンをビーコン周期（ＢＰ）内でそのビーコンスロットの中で送信する。ビーコンフレームのこのやり取りは、１つのスーパーフレーム内の最初の数個（１つまたはそれ以上）のメディアアクセススロット（ＭＡＳ）内で実行され、そして同一ビーコングループ内の機器はビーコンフレームから取り出した情報を用いて同期を行う。機器の同期は、WiMedia  Alliance  MACの明細書に開示されており、本明細書は参照によりその内容を組み込む。
次のセクションでは、ＭＡＣ  Ｈ／Ｗがどのようにしてスキャン状態にあるそれら４つのコントロール信号をそれぞれ主張するかについて、およびビーコン周期、データ交換周期について説明する。
【００１６】
Ｉ．チャンネルスキャン
ＣｏＡｉｒ  ＢＢ  ＡＳＩＣはブリッジとして機能するので、それは同軸ケーブルと無線のインターフェースのいずれとも同時に接続が可能である。このことは、ＣｏＡｉｒ  ＢＢが両側でチャンネルスキャンを行う必要があることを意味している。この目的のために、スキャンコントロールと呼ばれるレジスターが生成される。
ＣＰＵが同軸ケーブルグループ内の隣接する機器をスキャンしようとすると、そのＣＰＵは「同軸ケーブルグループ・スキャンＲｘ」のビットを「１」に設定し、同軸ケーブルグループから入ってくるＲＦ信号を選択する。「無線グループ・スキャンＲｘ」についても同様に行う。それぞれのグループのスキャン終了時には、ＣＰＵは各グループのＢＧおよびＴＦＣを学習し、Ｈ／Ｗによる後の使用のために新たに生成された２つのレジスターにそれらを保存する。
【００１７】
チャンネルスキャンを開始することによって、ＵＷＢ  ＳＴＢはＵＷＢゲートウェイの存在を認識し、そのビーコングループにＢＧ／ＴＦＣ  Ａのペアを用いて連結する。この処理の間、ＵＷＢ  ＳＴＢは、このビーコングループ内の近隣にある利用可能なWiNet  Service  Set、すなわちＷＳＳも認識する。この処理の終了時に、ＵＷＢ  ＳＴＢは、ルックアップテーブルを生成する。このテーブルには、各機器の局アドレスや、このビーコングループ内の各機器に関連するすべてのＷＳＳが含まれる。
【００１８】
このスキャン処理では、ＵＷＢ  ＳＴＢは、ＴＶ／ＰＣ（Ｂ）により形成されたビーコングループが既に存在しているのであれば、それも検出し、そして、これらの機器の性能および特徴を学習する。このとき、ＵＷＢ  ＳＴＢは、ブリッジまたはスイッチとして機能し、これらの異なる２つのビーコングループ間でのデータの通行を切り替える。つまり、ＳＴＢは、異なる媒体の異なる機器間でのデータ通行および通信を管理するブリッジまたはスイッチとして機能する。システムの観点からは、これら２つのビーコングループは、仮想の１つのビーコングループに限定される。ブリッジとしてのＵＷＢ  ＳＴＢの詳細な実施について、次に説明する。
【００１９】
しかしながら、ＵＷＢ  ＳＴＢのスキャン処理の間、ＴＶ／ＰＣはまだビーコングループを形成していないことがある。この場合は、ＴＶおよび／またはＰＣは、たとえそれらがＵＷＢゲートウェイのレンジ内にない場合でも、ＵＷＢゲートウェイのビーコングループの一部としてＵＷＢ  ＳＴＢに結合する。この場合、ＵＷＢ  ＳＴＢは、リピーターとして機能する。つまり、ＳＴＢは、同じ媒体上のレンジを広げるリピーターのように作動する。例えば、同軸ケーブル媒体を介したＵＷＢは、１００ｍを超えるケーブルで１０６Ｍｂｐｓの速度でデータを伝送することができ、ＳＴＢをリピーターとして機能させた状態では、同じデータを、より長い（つまり１００ｍよりも長い）距離で伝送できる。リピーターとしてのＵＷＢ  ＳＴＢの詳細な実施について、次に説明する。
【００２０】
II．ビーコンの伝送
一旦、ＣＰＵ／ＳＷが、おのおののグループにどのビーコンスロットを用いるかを決定すると、ビーコンスロットナンバーのレジスターを意図する値にするプログラムする。
スーパーフレームのタイミングが同軸ケーブルのビーコン周期内であれば、ビーコンを伝送する前に、Ｈ／Ｗは同軸ケーブルのＢＧＴＦＣの値を用い、スーパーフレームのタイミングが無線のビーコン周期内であれば、Ｈ／Ｗは無線のＢＧＴＦＣの値を用いて、ＰＨＹ  ＴＸチャンネルのＢＧ／ＴＦＣレジスターをプログラムする。
ビーコンスロットナンバーに基づき、Ｈ／Ｗはそれぞれのグループ内のビーコンを送信するためのスタート時間とストップ時間を計算する。その結果、Ｈ／Ｗは同軸ケーブルグループＴｘまたは無線グループＴｘをロジック「１」に設定し、ビーコンスロットの継続時間を８５ｕｓとする。
【００２１】
III．ビーコン受信
本発明の実施形態は、各（同軸ケーブルおよび無線）グループの多様のノード、つまり機器を備えており、ビーコンスロットナンバーのレンジを占有している。
ビーコンを伝送しないときは、Ｈ／Ｗは、スーパーフレームのビーコン周期タイムラインに沿って、２つのグループのうちのどちらのグループから、いつビーコンフレームを聞くかを決定しなければならない。
スキャン処理の後は、ＣＰＵ／ＳＷは、各グループ内のビーコンスロットの占有を学習している場合がある。ＣＰＵは新たに生成されたレジスターである同軸ケーブル無線ビーコン周期を占有レンジとともにプログラムし、これにより同軸ケーブルグループと無線グループとの間で「聞く」ことを切り替えるタイミングをＨ／Ｗが決定する根拠とすることができる。
【００２２】
低領域および高領域レジスターによって区分けされたレンジに基づき、Ｈ／Ｗはどのタイミングで、同軸ケーブルグループＲｘまたは無線グループＲｘの電源を入れるかを知ることができ、さらに、スーパーフレームのタイミングが同軸ケーブルのビーコン周期内のときに、どのタイミングで同軸ケーブルのＢＧＴＦＣの値を用いてＰＨＹのＢＧ／ＴＦＣレジスターをプログラムするか、またはスーパーフレームのタイミングが無線のビーコン周期内のときに、どのタイミングで無線のＢＧＴＦＣの値を用いてＰＨＹのＢＧ／ＴＦＣレジスターをプログラムするかを知ることができる。さらに、ＣＰＵが高領域レジスターを８’ｈＦＦでプログラムした場合には、対応するグループを聞くビーコンは機能しない。
【００２３】
IV．データ交換
データ交換を機器の間で実行する前には、「コネクション」、すなわち「ストリーム」がまず確立されていなければならない。一旦「ストリーム」が形成されてその対応するＭＡＳが確保されると、ＣＰＵは、同軸ケーブルグループ・ストリームマップ[１５：０]または無線グループ・ストリームマップ[１５：０]をセットする。
現状の実施では、ベースバンドＡＳＩＣは、どの時間でも１６のストリームをサポートしている。したがって、ストリーム２が同軸ケーブルグループによって使用されていれば、同軸ケーブルグループ・ストリームマップ[２]がロジック１にセットされる。同軸ケーブルグループ・ストリームマップおよび無線グループ・ストリームマップの各ビット位置での値は排他的でなければならないことに注意する。
【００２４】
さらに、同軸ケーブルグループのＢＧ／ＴＦＣが無線グループのそれと異なる場合は、これら２グループ間でのデータの交換、伝送、または受信の前に、Ｈ／ＷはＰＨＹのＴＸチャンネルまたはＲＸチャンネルを適正なＢＧ／ＴＦＣとともにプログラムする。
【００２５】
本発明では、ＭＡＳタイムスロットまたはＭＡＳリザベーションブロックはストリームナンバー（tx  Mas  Strm  Num）に関連しており、これらは有効タイムスロット（tx  Mas  Strm  Vld）として印が付される。それらはさらにデータ伝送（tx  Mas  Strm  TxEn）またはデータ受信として印が付される。上述した情報に基づき、図７及び図８は自明に説明される。
【００２６】
本発明では、ベースバンドＡＳＩＣはイーサネット（登録商標）・インターフェース、ＰＣＩインターフェース、およびローカルバス・インターフェースを含んでいる。これらのインターフェースにそれぞれ関連する「待ち行列（キュー）」が存在する。イーサネット（登録商標）と同軸ケーブルグループの機器との間などの「機器」間での初期接続セットアップの間、ＣＰＵはネットワーク構成を学習し、転送ルックアップテーブルを生成する。上述したインターフェース、同軸ケーブルグループの機器、無線グループの機器のいずれかから受信したフレームは、ＣＰＵに認識される。
【００２７】
ＣＰＵは受信したフレームを処理し、ルックアップテーブルを調べることにより、どのインターフェースまたはどの機器（同軸ケーブルグループまたは無線グループ）がそのフレームを受信すべきかを学習する。次いで、ＣＰＵはそのフレームを適切な伝達キューに追加する。
【００２８】
上述した本発明の実施形態の説明は例に過ぎず、上述した教示内容に照らして種々の変形が可能である。例えば、同軸ケーブル以外にも、Ｃａｔ５上の有線ノード、電話回線、および／または電力ラインなどを含んだ実施形態を挙げることができる。本発明の構成は、プログラムされた汎用デジタルコンピュータを用いることによっても実行することができ、または専用の集積回路、または既存の装置および回路が相互に連結されたネットワークを用いることによっても実行することができる。接続は有線、無線、モデムなどでよい。ここに記載された実施形態は、網羅的または限定的であることを意図していない。本発明は特許請求の範囲によってのみ限定されるものである。
【図面の簡単な説明】
【００２９】
【図１】有線および無線アプリケーションのネットワークを示すブロック図である。
【図２】本発明の一実施形態に係るセットトップボックス（ＳＴＢ）を示すブロック図である。
【図３】ＳＴＢのスキャン・コントロール・レジスターを示すブロック図である。
【図４】有線および無線グループのＢＧおよびＴＦＣを保存するためのレジスターを示すブロック図である。
【図５】ビーコン・スロット・レジスターを示すブロック図である。
【図６】ビーコン周期レジスターを示すブロック図である。
【図７】スーパーフレームを示すチャートである。
【図８】データフロー図を示す図である。
【図９】データフロー図を示す図である。
【図１】
2008228293.tif 000003
【図２】
2008228293.tif 000004
【図３】
2008228293.tif 000005
【図４】
2008228293.tif 000006
【図５】
2008228293.tif 000007
【図６】
2008228293.tif 000008
【図７】
2008228293.tif 000009
【図８】
2008228293.tif 000010
【図９】
2008228293.tif 000011
【外国語明細書】
2008228293.tif 000012
2008228293.tif 000013
2008228293.tif 000014
2008228293.tif 000015
2008228293.tif 000016
2008228293.tif 000017
2008228293.tif 000018
2008228293.tif 000019
2008228293.tif 000020
2008228293.tif 000021
2008228293.tif 000022
2008228293.tif 000023
2008228293.tif 000024
2008228293.tif 000025
2008228293.tif 000026
2008228293.tif 000027
2008228293.tif 000028
2008228293.tif 000029
2008228293.tif 000030
2008228293.tif 000031
2008228293.tif 000032
2008228293.tif 000033
2008228293.tif 000034
2008228293.tif 000035
2008228293.tif 000036